(57)【要約】【課題】支柱間距離が異なっても使用できる幅木を提供する。【解決手段】平板状の幅木本体１０と、幅木本体の横方向における両端部それぞれに設けられており、それぞれ支柱Ｐに引掛けられる一対のフック２０とを具備し、隣接している支柱間で幅木本体を立設させる幅木１の構成を、幅木本体が第一パネル１１ａと、第一パネルに対して相対的に横方向にスライドする第二パネル１１ｂとを備え、一対のフックが、それぞれ横方向における内方に開放した湾曲形状を呈し支柱に外方から引掛けられる引掛け部２２を有すると共に、バネ３０による付勢に抗して、幅木本体から横方向における外方に引き出される構成とする。【選択図】図２
2020041368.tif 000002
【特許請求の範囲】
【請求項１】
平板状の幅木本体と、該幅木本体の横方向における両端部それぞれに設けられており、それぞれ支柱に引掛けられる一対のフックとを具備し、隣接している支柱間で前記幅木本体を立設させる幅木であって、
前記幅木本体は、第一パネルと、該第一パネルに対して相対的に前記横方向にスライドする第二パネルとを備え、
一対の前記フックは、それぞれ前記横方向における内方に開放した湾曲形状を呈し支柱に外方から引掛けられる引掛け部を有すると共に、バネによる付勢に抗して、前記幅木本体から前記横方向における外方に向かって引き出されるものである
ことを特徴とする足場用の幅木。
【請求項２】
それぞれ前記横方向における外方に開放した湾曲形状を呈し、前記幅木本体の前記両端部それぞれにおいて前記フックと異なる高さに設けられており、隣接している支柱それぞれに内方から当接させる一対の押圧アームを更に具備し、
一対の前記フックは、軸心を前記横方向に一致させた直棒状の軸部から前記引掛け部が延出しているものであり、前記軸心周りに回転する
ことを特徴とする請求項１に記載の足場用の幅木。
【発明の詳細な説明】
【技術分野】
【０００１】
本発明は、足場において踏み板の辺縁に沿って立設させる幅木に関するものである。
【背景技術】
【０００２】
住宅やビル等の建物、橋梁やトンネル等の土木構造物の建築現場において仮設される足場は、一般的に、設置面から立設させた支柱と、隣接する支柱間に架け渡され、或いは、一本の支柱に片持ち状に支持されている横架材と、同じ高さにある平行な二本の横架材間に架け渡された踏み板とから、主に構成されている。
【０００３】
更に、足場では、作業用の工具や建築用の部材が踏み板から落下することを防止する共に、踏み板から作業者の足が外れるおそれなく安心感を持って作業することができるように、踏み板の辺縁に沿って幅木を立設させることがある。一般的な幅木は、平板状の幅木本体と、幅木本体の両端にそれぞれ取り付けられたフックを備えている。フックをそれぞれ隣接している支柱に係止させることにより、踏み板に対して幅木本体が直角をなす姿勢を維持することができる。
【０００４】
ところが、足場における支柱間距離は一定ではないため、従来は、一般的な足場に採用される支柱間距離に対応させて、複数種類の長さの幅木を用意しておく必要があった。そのため、足場用の部材の部品点数が多くなり、管理が煩雑となると共にコストが嵩むという問題があった。
【発明の概要】
【発明が解決しようとする課題】
【０００５】
そこで、本発明は、上記の実情に鑑み、隣接している支柱間で踏み板の辺縁に沿って立設させる幅木であって、支柱間距離が異なっても使用できる幅木の提供を、課題とするものである。
【課題を解決するための手段】
【０００６】
上記の課題を解決するため、本発明にかかる足場用の幅木（以下、単に「幅木」と称することがある）は、
「平板状の幅木本体と、該幅木本体の横方向における両端部それぞれに設けられており、それぞれ支柱に引掛けられる一対のフックとを具備し、隣接している支柱間で前記幅木本体を立設させる幅木であって、
前記幅木本体は、第一パネルと、該第一パネルに対して相対的に前記横方向にスライドする第二パネルとを備え、
一対の前記フックは、それぞれ前記横方向における内方に開放した湾曲形状を呈し支柱に外方から引掛けられる引掛け部を有すると共に、バネによる付勢に抗して、前記幅木本体から前記横方向における外方に向かって引き出される」ものである。
【０００７】
ここで言う「横方向」は、幅木が隣接する支柱間に立設された使用状態における横方向であり、「外方」及び「内方」は、同じ使用状態での横方向における外方及び内方である。
【０００８】
本構成では、第一パネルを第二パネルに対して相対的にスライドさせることにより、幅木本体の横方向における長さを変化させることができる。そのため、隣接している支柱間の距離が異なる場合にも、単一構成の幅木を取り付けることができる。
【０００９】
また、一対のフックはそれぞれ横方向における内方に開放した湾曲形状の引掛け部を有しており、引掛け部が外方から支柱に引掛けられることによって幅木が支柱に取り付けられる。このような構成において、一対のフックそれぞれはバネによる付勢に抗して幅木本体より外方に引き出されるものであり、引掛け部が支柱に引掛けられた状態のフックは、常に内方に向かって引張られるように付勢されている。このような引張力により、隣接している支柱間に幅木が取り付けられた状態が安定すると共に、第一パネルが第二パネルに対して相対的にスライドすることにより幅木本体の横方向における長さが支柱間距離に対応した長さとなった状態が安定する。
【００１０】
本発明にかかる足場用の幅木は、上記構成に加え、
「それぞれ前記横方向における外方に開放した湾曲形状を呈し、前記幅木本体の前記両端部それぞれにおいて前記フックと異なる高さに設けられており、隣接している支柱それぞれに内方から当接させる一対の押圧アームを更に具備し、
一対の前記フックは、軸心を前記横方向に一致させた直棒状の軸部から前記引掛け部が延出しているものであり、前記軸心周りに回転する」ものとすることができる。
【００１１】
本構成の幅木は一対の押圧アームを更に具備しているが、この押圧アームは、横方向における外方に開放した湾曲形状を呈していることにより、支柱に内側から当接させるものである。このような押圧アームを備えていると、支柱に外方から引掛けるフックの引掛け部が支柱と干渉するおそれがある。これに対し、本構成では、フックは直棒状の軸部の軸心周りに回転させることができるため、引掛け部が支柱と干渉しない向きとなるまで回転させた状態で、支柱より外方までフックを引き出して、外方から支柱に引掛けることができる。
【００１２】
そして、フックは、常にバネによって内方に向かって引張られるように付勢されているため、支柱に外方から引掛けられたフックの引掛け部と、支柱に内方から当接している押圧アームとは、互いに押し合うように支柱を挟持する。これにより、支柱に対する幅木の取り付け状態が、非常に堅固なものとなる。
【発明の効果】
【００１３】
以上のように、本発明によれば、隣接している支柱間で踏み板の辺縁に沿って立設させる幅木であって、支柱間距離が異なっても使用できる幅木を、提供することができる。
【図面の簡単な説明】
【００１４】
【図１】図１（ａ）は本発明の一実施形態である幅木の斜視図であり、図１（ｂ）は同じ幅木の正面図である。
【図２】図２（ａ）はＸ−Ｘ線で切断した斜視図であり、図２（ｂ）はＹ−Ｙ範囲におけるＸ−Ｘ線断面図であり、図２（ｃ）は図２（ｂ）と同じ範囲についてフックを外方に引き出した状態を示すＸ−Ｘ線断面図である。
【図３】図３（ａ）は変形例の幅木において図２（ｂ）に相当する範囲の断面図であり、図３（ｂ）は図３（ａ）と同じ範囲についてフックを外方に引き出した状態を示す断面図である。
【発明を実施するための形態】
【００１５】
以下、本発明の具体的な実施形態である足場用の幅木１について、図１及び図２を用いて説明する。ここで、「横方向」は、幅木１が隣接する支柱Ｐ間に立設された使用状態における横方向であり、「上下」は同じ使用状態における上下である。また、「外側」及び「外方」は同じ使用状態の横方向における外側及び外方であり、「内側」及び「内方」は同じ使用状態の横方向における内側及び内方である。更に、踏み板側からの視野を幅木１の「正面」と称して説明する。
【００１６】
幅木１は、幅木本体１０と、一対のフック２０と、それぞれのフック２０を付勢するバネ３０の一対と、一対の押圧アーム５０とを、主な構成とする。幅木本体１０は、それぞれ細長い長方形の平板状である第一パネル１１ａ及び第二パネル１１ｂを備えている。第一パネル１１ａを第二パネル１１ｂに対して相対的に横方向にスライドさせることにより、幅木本体１０の横方向の長さを変化させることができる。
【００１７】
具体的には、第一パネル１１ａには横方向に長い長孔１５が貫設されており、第二パネル１１ｂには、頭部付きのボルト１７の軸の外径より僅かに大径の孔部（図面に表れていない）が貫設されている。この孔部及び長孔１５に挿通したボルト１７を長孔１５に沿って移動させることにより、第一パネル１１ａの第二パネル１１ｂに対する相対的なスライドが案内され、第一パネル１１ａと第二パネル１１ｂとを合わせた横方向の全長を変化させることができる。
【００１８】
そして、ボルト１７とこれに螺合させたナット１８とで、第一パネル１１ａと第二パネル１１ｂとを締結することにより、横方向の長さが調整された状態で、第一パネル１１ａと第二パネル１１ｂとを一体化することができる。なお、詳細は後述するように、隣接している支柱Ｐに取付けられた幅木１には両外方への引張力が作用するため、幅木本体１０の横方向における全長が隣接している支柱Ｐ間距離に対応した長さとなった状態が維持されるが、ボルト１７とナット１８とで締結することにより、第一パネル１１ａと第二パネル１１ｂとが前後方向に離隔することや、がたつくことが防止される。
【００１９】
一対のフック２０は、それぞれ直棒状で断面の外形が円形である軸部２１と、内方に向かって解放した半円弧状で軸部２１と共にＪ字形状をなしている引掛け部２２とからなる。一対のフック２０それぞれの軸部２１は、第一パネル１１ａ及び第二パネル１１ｂそれぞれの上端で、且つ、幅木本体１０の横方向において反対側となる端部の近傍に保持されている。
【００２０】
具体的には、第一パネル１１ａの上端で、且つ、第二パネル１１ｂ側とは反対側である外側端部近傍には、それぞれ平板状の小片で対をなす外側突片４１と内側突片４２が設けられている。外側突片４１と内側突片４２は、それぞれ第一パネル１１ａから正面側に直角に突出し、互いの平面を対面させた状態で横方向に離隔している。そして、外側突片４１に、軸部２１の外径より大径の外側孔部４１ｈが貫設されていると共に、内側突片４２に、軸部２１の外径より大径の内側孔部４２ｈが、外側孔部４１ｈと同軸に貫設されている。そして、一対のフック２０の一方の軸部２１が、引掛け部２２を外側突片４１より外方の空間に位置させた状態で、外側孔部４１ｈ及び内側孔部４２ｈを挿通している。この状態で、軸部２１の軸心は幅木本体１０における横方向に一致している。
【００２１】
第二パネル１１ｂの上端で、且つ、第一パネル１１ａ側とは反対側である外側端部近傍にも、同様に対をなす外側突片４１及び内側突片４２が設けられている。外側突片４１及び内側突片４２には、それぞれ外側孔部４１ｈ及び内側孔部４２ｈが同様に貫設されていると共に、一対のフック２０の他方の軸部２１がこれらの孔部を同様に挿通している。
【００２２】
なお、本実施形態では、外側突片４１と内側突片４２とは、それぞれの正面側端辺が正面プレート４３によって連結され、それぞれの背面側端辺が背面プレート４４によって連結されていると共に、それぞれの下端辺が底面プレート４５によって連結されており、全体として箱形状を呈している。このような箱形状とすることにより、外側突片４１及び内側突片４２を介して幅木本体１０にフック２０を保持させる構造の機械的強度が、補強されている。
【００２３】
一対のフック２０それぞれの軸部２１には、外側突片４１と内側突片４２との間の空間に位置する部分において、周方向に窪んだ溝部２５が形成されている。
【００２４】
一対のバネ３０は、それぞれ圧縮コイルバネであり、その内径は軸部２１の外径より大きく、その外径は外側孔部４１ｈ及び内側孔部４２ｈの径より大きい。フック２０の軸部２１は、外側突片４１と内側突片４２との間の空間においてバネ３０を挿通している。その状態で、バネ３０の内側端部は軸部２１の溝部２５に嵌め込まれており、バネ３０が少し圧縮された状態で、バネ３０の外側端部は外側突片４１に当接している。
【００２５】
ここで、バネ３０は、軸部２１の軸心周りにフック２０が回転することを許容する態様で、外側突片４１と内側突片４２との間の空間に保持されている。このような態様としては、バネ３０の内側端部が溝部２５に固着されている一方で外側端部が外側突片４１に固着されていない態様、或いは、バネ３０の外側端部が外側突片４１に固着されている一方で内側端部が溝部２５に固着されていない態様を採用することができ、バネ３０はフック２０と一体的に軸部２１の軸心周りに回転する。また或いは、バネ３０の内側端部が溝部２５に固着されていないと共に外側端部も外側突片４１に固着されていない態様を採用することができ、フック２０はバネ３０に回転力を及ぼすことなく、軸部２１の軸心周りに回転する。
【００２６】
一対の押圧アーム５０は、それぞれ半円弧状である。一方の押圧アーム５０は、第一パネル１１ａにおいて、第二パネル１１ｂ側とは反対側である外側端部から外方に突出するように、フック２０より下方となる位置で第一パネル１１ａに固定されている。他方の押圧アーム５０は、第一パネル１１ａ側とは反対側である外側端部から外方に突出するように、フック２０より下方となる位置で第二パネル１１ｂに固定されている。何れの押圧アーム５０も、半円弧が外方に向かって開放し、且つ、半円弧で囲まれる面が幅木本体１０の平面と直交する向きで固定されている。
【００２７】
なお、幅木本体１０は、第一パネル１１ａの下端辺から正面側に直角に延出した第一下面部１２ａと、第二パネル１１ｂの下端辺から正面側に直角に延出した第二下面部１２ｂとを備えている。第一下面部１２ａ及び第二下面部１２ｂは、踏み板と幅木本体１０との隙間を埋めるためのものである。また、幅木本体１０は、第一パネル１１ａの上端辺から正面側に直角に延出し、更に下方に屈曲した第一カバー１３ａと、第二パネル１１ｂの上端辺から正面側に直角に延出し、更に下方に屈曲した第二カバー１３ｂとを備えている。
【００２８】
第一パネル１１ａ及び第二パネル１１ｂが相対的にスライドするのに伴い、第一下面部１２ａ及び第二下面部１２ｂが相対的にスライドすると共に、第一カバー１３ａ及び第二カバー１３ｂが相対的にスライドする。第一カバー１３ａ及び第二カバー１３ｂの存在により、幅木本体１０の横方向における両端それぞれの上部においてバネ３０が収容されている空間である、内側突片４２と外側突片４１との間の空間が被覆されている。
【００２９】
次に、上記構成の幅木１の足場での使用方法について説明する。支柱Ｐは円筒または円柱であり、足場において設置面から鉛直方向に多数が立設される。隣接する支柱Ｐ間には、手摺りや梁部材などの横架材が水平に架け渡される。また、同じ高さにある平行な二本の横架材間に、踏み板が水平に架け渡される。踏み板が架け渡される横架材は、隣接する支柱Ｐ間に架け渡された横架材、或いは、支柱Ｐに片持ち状に支持された横架材である。幅木１を踏み板の妻側に取り付ける場合、踏み板が架け渡される横架材は、隣接する支柱Ｐ間に架け渡された横架材である。隣接する支柱Ｐ間の距離は異なることがあり、これに伴い、踏み板には長さや幅の異なる複数の種類がある。
【００３０】
幅木１は、幅木本体１０が踏み板に対して直角をなすように、隣接する支柱Ｐ間に取り付けられる。その際、幅木１の向きは、第一下面部１２ａ及び第二下面部１２ｂが踏み板と連続する向きとする。
【００３１】
幅木１の支柱Ｐへの取り付けに先立ち、まず、第一パネル１１ａを第二パネル１１ｂに対して相対的にスライドさせ、一対の押圧アーム５０それぞれの中心軸間の距離を、支柱Ｐ間の距離に合わせて調整する。その際、第二パネル１１ｂの孔部及び第一パネル１１ａの長孔１５に挿通したボルト１７を長孔１５に沿って移動させれば、第一パネル１１ａの第二パネル１１ｂに対する相対的なスライドが案内される。
【００３２】
長孔１５の長さ分だけ、一対の押圧アーム５０それぞれの中心軸間の距離を変化させることができ、その距離を支柱Ｐ間距離に合わせることにより、一対の押圧アーム５０それぞれを隣接する支柱Ｐそれぞれに内側から当接させることができる。その際、フック２０の引掛け部２２が支柱Ｐと干渉することを避けるために、引掛け部２２の半円弧で囲まれた面が幅木本体１０の平面と平行となるように、フック２０を軸部２１の軸心周りに回転させる。押圧アーム５０を支柱Ｐに内側から当接させた状態で、ボルト１７とナット１８により第一パネル１１ａと第二パネル１１ｂとを締結する。
【００３３】
そして、一対のフック２０それぞれについて支柱にＰに引掛ける作業を、次のように行う。まず、フック２０を幅木本体１０から外方に引き出す。フック２０の軸部２１が挿通しているバネ３０は圧縮コイルバネであり、その内側端部が軸部２１の溝部２５に嵌め込まれていると共に外側端部が外側突片４１に当接しているため、フック２０を外方に引き出すことにより、更にバネ３０は外側突片４１と溝部２５との間で圧縮され、内方に向かって引き戻すようにフック２０を付勢する。この付勢に抗して、引掛け部２２の開端が支柱Ｐを超えるまで、フック２０を外方に引き出す。なお、フック２０が最大限に引き出された状態で、軸部２１の自由端（内側端部）が内側孔部４２ｈから抜け出ることなく、内側突片４２より内方の空間に位置するように、軸部２１の長さ、内側突片４２と外側突片４１との間の距離、バネ３０の長さ及び強さ等が設定される。
【００３４】
引掛け部２２の開端が支柱Ｐを超えたら、図２（ｃ）に示すように、フック２０を軸部２１の軸心周りに回転させ、引掛け部２２の半円弧で囲まれる面を幅木本体１０の平面と直交させる。そして、外方に引き出すためにフック２０を引張っていた力を除けば、フック２０はバネ３０の付勢によって内方に向かって引き戻され、引掛け部２２が支柱Ｐに外方から引掛けられる。この状態では常に、バネ３０によってフック２０を内方に向かって引張る力が作用しているため、引掛け部２２は外側から押圧するように支柱Ｐに当接している。同時に、その反力によって押圧アーム５０は支柱Ｐを内方から押圧するため、引掛け部２２と押圧アーム５０との間に支柱Ｐがしっかりと挟持される。これにより、図１（ａ），（ｂ）に示すように、隣接する支柱Ｐ間に幅木１が堅固に取り付けられた状態となる。
【００３５】
上記のように、本実施形態の幅木１によれば、第一パネル１１ａを第二パネル１１ｂに対して相対的にスライドさせることにより、幅木本体１０の横方向における長さを変化させることができるため、隣接している支柱Ｐ間の距離が異なる場合にも、単一構成の幅木１を取り付けることができる。また、幅木１は、一対のフック２０の引掛け部２２がそれぞれ支柱Ｐに外方から引掛けられることによって支柱Ｐに取り付けられるものであるが、それぞれのフック２０はバネ３０によって内方に引張られるように付勢されているため、隣接している支柱Ｐ間に幅木１が取り付けられた状態が安定する。
【００３６】
加えて、幅木１は、隣接している支柱Ｐそれぞれに内方から当接させる押圧アーム５０を一対備えており、バネ３０による付勢によって、フック２０の引掛け部２２と押圧アーム５０とが押し合うように支柱Ｐを挟持するため、隣接している支柱Ｐ間に幅木１が取り付けられた状態がより堅固である。
【００３７】
そして、隣接している支柱Ｐそれぞれに内方から当接させる押圧アーム５０を幅木１が一対備えていることにより、支柱Ｐに外方から引掛けるための引掛け部２２が支柱Ｐと干渉するおそれがあるところ、フック２０は軸部２１の軸心周りに回転させることができるため、引掛け部２２が支柱Ｐと干渉しない向きとなるまでフック２０を回転させた状態で、フック２０を引き出すことができる。
【００３８】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００３９】
例えば、上記では、バネ３０が圧縮コイルバネである場合を例示したが、図３（ａ），（ｂ）に示すように、引張りコイルバネのバネ３１で代替することができる。この場合、バネ３１の内側端部は内側突片４２に固定され、バネ３１が少し引張られた状態で、その外側端部はフック２０の溝部２５に嵌め込まれる。その際、バネ３１の外側端部は溝部２５には固着されない。このような構造では、フック２０を軸部２１の軸心周りに回転させるとき、バネ３１も一体的に回転するため、フック２０の回転が許容される。
【００４０】
そして、フック２０は、引張られて伸びたバネ３１が元に戻ろうとする復元力により、常に内方に向かって引き戻されるように付勢されている。この付勢方向は、圧縮コイルバネをバネ３０として使用している上記の実施形態と同様である。そのため、バネ３１をバネ３０に代替した他は上記の幅木１と同様の構成の幅木とすることができ、同様の方法で支柱Ｐに取り付けることができると共に、同一の作用効果が発揮される。なお、図３では、図１，２の実施形態と同様の構成について同一の符号を付している。
【００４１】
また、上記では、引掛け部２２及び押圧アーム５０の半円弧の径が支柱Ｐの外径に合わせられている場合を、図１，２を用いて例示した。しかしながら、上述したように、バネ３０（またはバネ３１）の付勢によって、引掛け部２２と押圧アーム５０とが押し合うように支柱Ｐをしっかりと挟持するため、引掛け部２２及び押圧アーム５０の半円弧の径が支柱Ｐの外径と合っていなくても、幅木１が支柱Ｐに取り付けられた状態が安定する。すなわち、引掛け部２２及び押圧アーム５０の半円弧の径が支柱Ｐの外径より大であれば、径の異なる支柱Ｐであっても問題なく幅木１を取付けることができる。
【符号の説明】
【００４２】
１  幅木
１０  幅木本体
１１ａ  第一パネル
１１ｂ  第二パネル
２０  フック
２１  軸部
２２  引掛け部
３０，３１  バネ
５０  押圧アーム
Ｐ  支柱
【図１】
2020041368.tif 000003
【図２】
2020041368.tif 000004
【図３】
2020041368.tif 000005